【手続補正書】
【提出日】平成15年10月3日(2003.10.3)
【手続補正１】
【補正対象書類名】明細書
【補正対象項目名】特許請求の範囲
【補正方法】変更
【補正の内容】
【特許請求の範囲】
【請求項１】
光源駆動回路を内部に収納し、当該光源駆動回路から発生する電磁波を遮蔽する光源駆動回路用シールドケースであって、
材質がケイ素鋼からなり、前記光源駆動回路の周囲を囲む筒状体として構成され、その端部が開口されていることを特徴とする光源駆動回路用シールドケース。
【請求項２】
光源と、この光源から射出された光束を画像情報に応じて変調して光学像を形成する電気光学装置と、この電気光学装置により形成された光学像を拡大投写する投写光学系と、これらを収納する筐体とを備えたプロジェクタであって、
前記筐体内には、前記光源を駆動する光源駆動回路が設けられ、
前記光源駆動回路は、材質がケイ素鋼からなり、当該光源駆動回路から発生する電磁波を遮蔽する光源駆動回路用シールドケースに収納されており、
前記光源駆動回路用シールドケースには、冷却空気を導入する開口が設けられていることを特徴とするプロジェクタ。
【請求項３】
請求項２に記載のプロジェクタにおいて、
前記光源駆動回路用シールドケースは、前記ケイ素鋼からなる板状のケイ素鋼板を板金加工して形成される複数の折曲部材を組み合わせて構成され、
前記複数の折曲部材は、板金加工による切削端面同士が当接していることを特徴とするプロジェクタ。
【請求項４】
請求項２または請求項３に記載のプロジェクタにおいて、
前記光源駆動回路用シールドケースは、前記光源駆動回路の周囲を囲む筒状体として構成され、その端部が開口されていることを特徴とするプロジェクタ。
【請求項５】
請求項２から請求項４のいずれかに記載のプロジェクタにおいて、
前記筐体内には、外部装置との接続用の端子が実装されたインターフェース基板が設けられ、
前記光源駆動回路用シールドケースに収納された光源駆動回路は、前記インターフェース基板に近接して設けられていることを特徴とするプロジェクタ。
【請求項６】
請求項２から請求項５のいずれかに記載のプロジェクタにおいて、
前記筐体内には、前記開口に冷却空気を導入するための冷却ファンが設けられていることを特徴とするプロジェクタ。
【手続補正２】
【補正対象書類名】明細書
【補正対象項目名】０００６
【補正方法】変更
【補正の内容】
【０００６】
【課題を解決するための手段】
本願の第１発明は、光源駆動回路を内部に収納し、当該光学駆動回路から発生する電磁波を遮蔽する光源駆動回路用シールドケースであって、材質がケイ素鋼からなり、前記光源駆動回路の周囲を囲む筒状体として構成され、その端部が開口されていることを特徴とする。
ここで、光源駆動回路で駆動する光源としては、例えば、プロジェクタを構成する光源ランプや、発光体をガラス球に封入した蛍光灯等の各種ランプが採用できる。
このような本発明によれば、ケイ素鋼は、鉄やアルミニウムに比べて高透磁率の磁性材料であるので、このケイ素鋼からなる光源駆動回路用シールドケース内に光源駆動回路を収納することで、光源の高輝度化に伴って、光源駆動回路から発生する電磁波が増大しても、当該電磁波が外部に漏れないように遮蔽することが可能となる。従って、光源駆動回路用シールドケースの材質をケイ素鋼とすることで、電磁波の遮蔽性能を向上させることが可能となる。
また、光源駆動回路は、外部電源からの電力を所定の電力に変圧する変圧用のコイルや、電力蓄積用のコンデンサ、抵抗等の発熱体を備えて構成されているので、光源駆動回路用シールドケースの端部が開口されていれば、当該光源駆動回路用シールドケース内に風を通すことが可能となり、これにより、光源駆動回路を冷却することが可能となる。
さらに、各種装置において、このような光源駆動回路用シールドケースを利用すれば、各種光源の高輝度化および装置の小型化を図ることが可能となる。


【手続補正３】
【補正対象書類名】明細書
【補正対象項目名】０００７
【補正方法】変更
【補正の内容】
【０００７】
本願の第２発明は、光源と、この光源から射出された光束を画像情報に応じて変調して光学像を形成する電気光学装置と、この電気光学装置により形成された光学像を拡大投写する投写光学系と、これらを収納する筐体とを備えたプロジェクタであって、前記筐体内には、前記光源を駆動する光源駆動回路が設けられ、前記光源駆動回路は、材質がケイ素鋼からなり、当該光源駆動回路から発生する電磁波を遮蔽する光源駆動回路用シールドケースに収納されており、前記光源駆動回路用シールドケースは、冷却空気を導入する開口が設けられていることを特徴とする。
このような本発明によれば、ケイ素鋼からなる光源駆動回路用シールドケース内に光源駆動回路を収納することで、光源の高輝度化に伴って、光源駆動回路から発生する電磁波が増大しても、当該電磁波が外部に漏れないように遮蔽することが可能となる。従って、光源駆動回路用シールドケースの材質をケイ素鋼とし、電磁波の遮蔽性能を向上させることで、光源の高輝度化を図ることが可能となる。
また、光源駆動回路用シールドケースには、冷却空気を導入する開口が設けられているので、当該光源駆動回路用シールドケース内に冷却空気を導入することが可能となり、これにより、光源駆動回路を冷却することが可能となる。
以上において、光源駆動回路用シールドケースは、ケイ素鋼からなる板状のケイ素鋼を板金加工して形成される複数の折曲部材を組み合わせて構成され、複数の折曲部材は、板金加工による切削端面同士が当接していることが好ましい。
ここで、板金加工としては、ケイ素鋼板の剪断、折り曲げ、切り起こし等が採用できる。また、板金加工による切削端面同士が当接している、とは、例えば、一方の折曲部材の端部に、断面コ字形状の凸部を切り起こして形成し、他方の折曲部材の端部に、前記凸部が嵌合する開口を形成しておき、この開口に凸部を嵌合した際、凸部の切り起こされた端面と、開口の内側面とが当接することである。このようにすれば、折曲部材同士を確実に接続させることが可能となるとともに、折曲部材の端部が積層状に接続されるので、隙間が生じることがなく、電磁波の遮蔽性能をより一層向上させることが可能となる。
また、切削端面同士を当接させ、例えば、ケイ素鋼板表面に絶縁皮膜を施せば、光源駆動回路用シールドケースに光源駆動回路をねじ等で止めることで、当該光源駆動回路のアースを容易、かつ、確実に取ることが可能となる。


【手続補正４】
【補正対象書類名】明細書
【補正対象項目名】０００８
【補正方法】変更
【補正の内容】
【０００８】
また、前述の光源駆動回路用シールドケースは、光源駆動回路の周囲を囲む筒状体として構成され、その端部が開口されていることが望ましい。
ここで、光源駆動回路は、外部電源からの電力を所定の電力に変圧する変圧用のコイルや、電力蓄積用のコンデンサ、抵抗等の発熱体を備えて構成されているので、光源駆動回路用シールドケースの端部が開口されていれば、当該光源駆動回路用シールドケース内に風を通すことが可能となり、これにより、光源駆動回路を冷却することが可能となる。


【手続補正５】
【補正対象書類名】明細書
【補正対象項目名】０００９
【補正方法】変更
【補正の内容】
【０００９】
さらに、筐体内には、外部装置との接続用の端子が実装されたインターフェース基板が設けられ、光源駆動回路用シールドケースに収納された光源駆動回路は、インターフェース基板に近接して設けられていることが好ましい。
前述した光源駆動回路用シールドケースを利用すれば、光源駆動回路をインターフェース基板に近接して設けることが容易に可能となるので、これにより、プロジェクタの小型化を図ることが可能となる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
さらにまた、筐体内には、開口に冷却空気を導入するための冷却ファンが設けられていることが好ましい。
筐体内に、開口に冷却空気を導入するための冷却ファンを設ければ、光源駆動回路をより一層簡単に、かつ、確実に冷却することが可能となる。


【手続補正８】
【補正対象書類名】明細書
【補正対象項目名】００２０
【補正方法】変更
【補正の内容】
【００２０】
ランプカバー２２Ｅは、図２に示すように、例えば、第２ケース部材２２Ｂ側にねじ等のつまみ部材８１を有するとともに、第３ケース部材２２Ｃの端縁に係合されている。このつまみ部材８１は、Ｅリングを介して第２ケース部材２２Ｂに形成されている図示しないナットに螺合されている。つまみ部材８１を回してナットとの螺合を解除すると、螺合していた分だけ、つまみ部材８１がランプカバー２２Ｅより外に飛び出す。そして、このつまみ部材８１を掴んで、ランプカバー２２Ｅを、プロジェクタ１の側面に沿ってスライドさせると、当該ランプカバー２２Ｅを外すことができるようになっている。なお、つまみ部材８１は、Ｅリングで支持されているため、ナットとの螺合を解除しても、ランプカバー２２Ｅからは外れない構造となっている。


【手続補正９】
【補正対象書類名】明細書
【補正対象項目名】００４０
【補正方法】変更
【補正の内容】
【００４０】
〔３．ランプ駆動回路のシールド構造〕
ランプ駆動回路１０１は、図３に示されるように、光源駆動回路用シールドケースであるランプ駆動回路用シールドケース１０２に収納され、前述のインターフェース基板９２に近接して設けられている。
ランプ駆動回路１０１は、図６に示されるように、外部電源からの電力を所定の電力に変圧する変圧用のコイル１０１Ａや、電力蓄積用のコンデンサ１０１Ｂ、抵抗１０１Ｃ等の回路素子と、これら回路素子が取り付けられる長方形板状の基板１０１Ｄとを備えて構成されている。基板１０１Ｄの四隅近傍には、ねじ１１０が螺合するねじ孔１０１Ｅが形成されている。


【手続補正１０】
【補正対象書類名】明細書
【補正対象項目名】００４１
【補正方法】変更
【補正の内容】
【００４１】
ランプ駆動回路用シールドケース１０２は、ランプ駆動回路１０１から発生する磁気ノイズ等の電磁波を外部に漏らさないように遮蔽するものであり、図６にも示されるように、材質がケイ素鋼からなる板状のケイ素鋼板を板金加工して形成される２つの折曲部材１０３、１０４を組み合わせて、ランプ駆動回路１０１の周囲を囲む筒状体として構成されている。ここで、各折曲部材１０３、１０４の表面には、絶縁皮膜が施されている。このランプ駆動回路用シールドケース１０２は、その延出方向端部が開口されているとともに、その開口が軸流吸気ファン７０に対向するように設置されている。これにより、開口に軸流吸気ファン７０からの冷却空気が導入されるようになっている。


【手続補正１１】
【補正対象書類名】明細書
【補正対象項目名】００４８
【補正方法】削除
【補正の内容】
【手続補正１２】
【補正対象書類名】明細書
【補正対象項目名】００５１
【補正方法】削除
【補正の内容】